(57)【特許請求の範囲】
【請求項１】
水平片とその水平片の中央から起立する垂直片とを有する倒立Ｔ字形の固定金具を前記垂直片において各デッキ材の根太と直交する側面に予め固着しておき、前記各デッキ材を順次前記根太の上面に載せて各デッキ材に固着されている固定金具の垂直片を隣り合うデッキ材の側面に当接させた状態で前記固定金具の水平片を前記根太に固着して、隣り合うデッキ材の側面同志を前記固定金具の垂直片の厚みにより離間させてその間にデッキ上面から排水するための排水溝を形成してなるガーデンデッキ。
【請求項２】
根太の長手方向両端部に位置するデッキ材を除くほかのデッキ材には、前記根太に直交する両側面に固定金具を予め固着し、かつ、隣り合うデッキ材の両側の固定金具の固着位置を前記根太の長手方向に沿って交互に左右に偏位させてあることを特徴とする請求項１に記載されたガーデンデッキ。
【発明の詳細な説明】
【０００１】
【発明の属する技術分野】
本発明は屋外に設置されるガーデンデッキ、とくに、根太の上面に多数の長尺デッキ材を隣接して固定してなるガーデンデッキに関する。
【０００２】
【従来の技術】
一般にガーデンデッキは、前後の列に沿って地面に立設された束の上端に大引を掛け渡し、その前後の大引に根太を平行状態に載置して固定し、その根太の上面に根太と直交する方向に延びる多数の長尺デッキ材を隣接して固定して構成されている。大引を用いずに前後の束の上端に根太を掛け渡すこともある。
【０００３】
各デッキ材を根太の上面に固定するには、デッキ材の上面からビス又は釘を根太にねじ込み又は打ち込んで固定している。また、デッキ上面に降った雨や清掃時に撒いた水が容易に排水されるように各デッキ材の間に排水溝を形成するため、各デッキ材の間に厚さが例えば５ｍｍ程度のスペーサを介在させて位置決めをした状態で、デッキ材を根太に所定間隔をもって固定していた。
【０００４】
【発明が解決しようとする課題】
従って、従来のガーデンデッキにおいては、各デッキ材を所定間隔をもって固定する際の位置決め作業が容易でなく、また、固定後のスペーサの回収・保管に手間がかかり、さらに、ガーデンデッキの一定期間の使用後にはデッキ材の熱変形やデッキ上の人や荷物の荷重の移動に伴うデッキ材の歪みによりデッキ材固定用のビス又は釘などの固着具がデッキ材の上面に頭を突出するため、外観が損なわれたり、デッキ上を歩く際に怪我をしたり、衣服を引っ掛けたりすることがあった。
【０００５】
本発明は上記の点に鑑みてなされたものであり、その課題は、デッキ材の固定時の排水溝形成のための位置決め作業を不要にしてデッキ材の固定作業の能率を向上するとともに、デッキ材固着具のデッキ上面への露出を防止して外観と安全性の向上を図ることにある。
【０００６】
【課題を解決するための手段】
上記課題を解決するため、本発明によるガーデンデッキは、水平片とその水平片の中央から起立する垂直片とを有する倒立Ｔ字形の固定金具を前記垂直片において各デッキ材の根太と直交する側面に予め固着しておき、前記各デッキ材を順次前記根太の上面に載せて各デッキ材に固着されている固定金具の垂直片を隣り合うデッキ材の側面に当接させた状態で前記固定金具の水平片を前記根太に固着して、隣り合うデッキ材の側面同志を前記固定金具の垂直片の厚みにより離間させてその間にデッキ上面から排水するための排水溝を形成してなることを特徴としている。
上記構成により、一つのデッキ材を根太の上面に固定金具を介して固定した後、他のデッキ材を順次固定する際に、固定金具の垂直片は隣り合うデッキ材を自動的に位置決めし、かつ、隣り合うデッキ材の側面の間に所定間隔を有する排水溝を形成する。そして、デッキ材は固定金具で固定されるので、デッキ材の上面には固着具が露出しない。
【０００７】
本発明においては、根太の長手方向両端部に位置するデッキ材を除くほかのデッキ材には前記根太に直交する両側の側面に固定金具を予め固着し、かつ、隣り合うデッキ材の両側の固定金具の固着位置を前記根太の長手方向に沿って交互に左右に偏位させることが望ましい。
上記構成により、デッキ材の一方の側面の固定金具の水平片を、先に固定されているデッキ材の他方の側面の固定金具により形成されている根太とデッキ材との間の隙間に差し込むことにより、後に固定されるデッキ材の長手方向の位置決めが簡単にでき、かつ、デッキ材は幅方向の両側において固定されるので、安定性が向上する。
【０００８】
【発明の実施の形態】
次に、本発明の実施例について、図面に基づいて説明する。
図１は本発明の構成の要部及び作用を説明する斜視図、図２は同様の平面図、図３は固定金具の一例の斜視図、図４はその固定金具の取付け状態及び作用の一部を説明する断面図、図５は固定金具の他例の斜視図、図６はその固定金具の取付け状態及び作用の一部を説明する断面図である。
図７ないし図９は、それぞれガーデンデッキの一例の正面図、平面図及び側面図である。
図１０は図８のＸ−Ｘ線に沿った中間省略断面図、図１１は図１０の根太近辺の透視平面図、図１２は図７のＹ−Ｙ線に沿った断面図、図１３は図８のＺ−Ｚに沿った断面図である。
【０００９】
本発明に係るガーデンデッキの基本的構成は、図７ないし図９に例示する一般的に知られているガーデンデッキと同様であるので、まず、この基本的構成について説明する。
地面Ｇの建物Ｈから屋外側に隔てた所定箇所に所定間隔をもって束１が立設され、各列の束に補強のために根がらみ２（図１０参照）がねじ３により連結されている。また、根がらみ２に対して直角方向に隔てられた束の上端には、上方に開口する溝を有する連結金具４がビス５により固着され、その連結金具４に根太６が嵌合して掛け渡されて、ビス７により固定されている。
図７ないし図９に示す一例では、束１が８本立設され、前後２本ずつの束１の上に根太６が掛け渡され、合計４本の根太６が設けられている。なお、既知のように、各列の束の上端に大引を固定し、その前後の大引に根太を掛け渡す場合もある。
【００１０】
根太６の上面には、根太の基端すなわち建物側の端部から先端までの間に左右両端の根太の外側まで延びる複数本のデッキ材８１  〜８ｎ  が固定され、先端側のデッキ材８ｎ  には前鼻隠し９ｆが、また、デッキ材の長手方向両端側には側鼻隠し９ｓがそれぞれ取付けられている。
【００１１】
本発明においては、以上の既知の構成に加えて、各デッキ材８１  〜８ｎ  を根太６に固定するために以下に詳述されるような構造を用いている。すなわち、各デッキ材の長手方向の所定位置、すなわち、各根太６に対応する位置の少なくとも一側面に固定金具ＦＭ１  が予め固着されている。
【００１２】
固定金具ＦＭ１  は、図１〜図４に示すように、水平片１０とその水平片の中央から起立する垂直片１１とを有して、倒立Ｔ字形に形成されている。水平片１０及び垂直片１１のそれぞれにはビス又は釘などの固着具を貫通する孔１２が形成されている。垂直片１１の厚さは、隣り合うデッキ材の間に設けられる排水溝の幅、例えば５ｍｍ程度に設定されている。
【００１３】
固定金具ＦＭ１  は各デッキ材の根太を直交する両側の側面のうち、少なくとも根太の先端側の側面に次のように取付けられている。すなわち、垂直片１１をデッキ材の側面に当接させ、かつ、水平片１０の一方の半分をデッキ材の底面に当接させ、水平片１０の他方の半分をデッキ材から水平に突出させた状態で、垂直片１１に設けてある孔１２からビス１３をデッキ材８にねじ込むことによりデッキ材に固定されている。
【００１４】
上記のように、各根太に対応する所定位置に固定金具ＦＭ１  を予め取付けたデッキ材８は、根太の基端側から先端側に向けて、次のようにして順次固定される。すなわち、最初のデッキ材８１  を根太６の所定位置に掛け渡し、各固定金具ＦＭ１  のデッキ材の側面から突出されている水平片１０をその孔に貫通したビス又は釘を根太６にねじ込み又は打ち込んでそのデッキ材８１  を固定する。次に、最初のデッキ材８１  に隣接する二番目のデッキ材８２  を根太６に掛け渡すとともに、そのデッキ材の根太基端側の端部を先に固定されたデッキ材８１  の固定金具ＦＭ１  の水平片１０に載せ、かつ、二番目のデッキ材８２  の根太の基端側の側面を固定金具の垂直片１１に当接する。
【００１５】
こうして、先順位の（先に固定された）デッキ材に隣接する後順位のデッキ材を根太に載置し、かつ、先順位のデッキ材の固定金具の水平片に載置するとともに、後順位のデッキ材の側面を先順位のデッキ材の固定金具の垂直片に当接することにより、後順位のデッキ材の位置決めが容易にでき、その後順位のデッキ材の固定金具ＦＭ１  の水平片１０をその孔から貫通したビス１４を根太６にねじ込むことにより後順位のデッキ材（８２  ）が根太の所定位置に固定され、かつ、互いに隣接するデッキ材８１  ，８２  同士の間に垂直片１１の厚さに相当する所定幅を有する排水溝１５が形成される。
このようなデッキ材の位置決め及び固定金具の根太に対する固定を根太の先端まで繰り返すことにより、各デッキ材の間に所定間隔の排水溝を備えたデッキが構成される。
【００１６】
なお、図１及び図２に示された好ましい実施例では、図８及び図１０の根太６の両端部に存在するデッキ材８１  ，８ｎ  を除くほかのデッキ材８２  〜８ｎ−１  には、デッキ材の両側の側面に同一構造の固定金具ＦＭ１  ，ＦＭ２  が設けられ、かつ、根太の幅よりも小さい範囲で根太の長手方向に沿って交互に左右に所定距離偏位されている。
このように両側に固定金具ＦＭ１  ，ＦＭ２  を取付けたデッキ材は、図１及び図２に一部を示すように、根太６に先に固定された（先順位の）デッキ材（８２  ）の底面と根太６の上面との間に固定金具ＦＭ１  の水平片１０により形成されている隙間に、後順位のデッキ材（８３  ）の根太先端側の固定金具ＦＭ２  の水平片１０の突出部分を挿入し、かつ、そのデッキ材８３  の一方側の側面を先順位のデッキ材（８２  ）の固定金具ＦＭ１  の垂直片１１に当接し、続いて、後順位のデッキ材８３  の固定金具ＦＭ１  を根太６に固定するようにしている。
【００１７】
このような先に固定されているデッキ材（８２  ）と根太６の間の隙間に次のデッキ材（８３  ）の一方側の固定金具ＦＭ２  を差し込み、後順位のデッキ材（８３  ）の側面を垂直片１１に密着させて位置決めし、固定金具ＦＭ１  を根太６に固定する作業は、最後のデッキ材８ｎ  まで繰り返される。この場合、後順位のデッキ材の取付け時に固定金具ＦＭ１  に固定金具ＦＭ２  が当るまでデッキ材を長手方向に移動すれば、デッキ材の長手方向の位置決めも容易にできる利点がある。
この実施例では、最初及び最後のデッキ材８１  ，８ｎ  を除くほかのデッキ材は、いずれもデッキ材の両側の側面に固着された固定金具ＦＭ１  ，ＦＭ２  が互いに隣接するデッキ材の底面を支持し、その一方の固定金具はデッキ材と根太との間に挟持されるので、デッキ材の根太に対する安定性が増大され、デッキ材の一側が根太に対して振動して、騒音を発生することもない。
【００１８】
なお、最初のデッキ材８１  には、根太６の基端部付近において固定金具ＦＭ１  と同一構造の固定金具ＦＭ３  が上下反転された状態で、すなわち、正立Ｔ字状で水平片１０においてビスによりデッキ材の底面に固着され、その固定金具ＦＭ３  の垂直片１１を根太６の側面にビスにより固着されている。これにより基端部のデッキ材８１  の根太６に対する取付け強度も確保されている。
また、最後のデッキ材８ｎには、その側面には固定金具が固着されずに最初のデッキ材８１  の根太付近の固定金具ＦＭ３  と同様に上下反転された固定金具ＦＭ３  が水平片においてビスによりデッキ材８ｎ  の底面に固着され、その固定金具の垂直片１１を根太６の側面にビスにより固着されている。
【００１９】
本発明によれば、固定金具の垂直片１１の厚みにより隣接するデッキ材間に形成される排水溝１５の幅が決定されるが、この幅は通常５ｍｍ程度とされる。図３に示す固定金具ＦＭ１  の例は垂直片１１の全体が５ｍｍもの厚さを有するので、図４に示すように、完成したデッキの上面に開口する排水溝１５に固定金具ＦＭ１  の上端部が露見されて、デッキ上面の外観が損なわれる恐れがあると共に、垂直片１１の全体が厚いので材料消費量も馬鹿にならない。
図５は、この点を改善した固定金具ＦＭ´の一例を示す。すなわち、垂直片１１の上部１１ａは水平片１０とほぼ等しい厚さとし、垂直片の下部１１ｂのみを、適度な高さに渡って５ｍｍの厚さを有するように成形している。この厚い部分１１ｂの高さは、図６に示すように、できるだけ低い方が排水溝１５に露見されないので良いが、根太６に固定された固定金具ＦＭ´に次のデッキ材の端部をその固定金具の水平片１０に乗せる際に、デッキ材の端部が垂直片の厚い部分１１ｂに乗ったか水平片１０に乗ったかを作業者が容易に視認し又は感じ取ることができる程度の高さであることが望ましい。
【００２０】
上記固定金具ＦＭ，ＦＭ´を用いて根太に固定されるデッキ材８には、中実の木材と中空の樹脂製形材のいずれをも用いることはできるが、省資源及び耐候性向上のため中空樹脂製形材を用いるに当り、付加された改良点について、図１０ないし図１３に基づいて説明する。
【００２１】
本発明の好ましい実施例においては、上記デッキ材８１  〜８ｎ  及び鼻隠し９ｆ，９ｓの全部に、図１０に最も良く示されているような、木粉を混入することにより木材と同様な色彩を有し、かつ、同一の断面形状を有する中空の樹脂製形材（ｗｐ）を用いている。そして、その樹脂製形材ｗｐは、所要の強度を備えるため適度な大きさに区画された複数個の中空部１６を有し、適当な間隔をおいたデッキ材（８１  ，８ｎ−２  ，８ｎ  ）の中空部に、デッキ材の長手方向両端部において短尺角棒状の木材で作られたねじ持ち材１７が挿入され、当該デッキ材の底面からねじ込まれたねじ１８により固定されている。そして、デッキの側面に前記中空樹脂製形材で作られた側鼻隠し９ｓが垂直状態で当接され、その外側面からねじ１９（図１２参照）を貫通し、ねじ持ち材１７にねじ込むことにより側鼻隠し９ｓがデッキ材８１  ，８ｎ−２  ，８ｎ  に固定されている。
【００２２】
先端のデッキ材８ｎには、その中空部１６のうち先端の中空部にねじ持ち材１７と同一断面形状のデッキ材８ｎの全長と等しい長さを有する長尺ねじ持ち材１７Ｌが挿通され、固定金具ＦＭ１  をデッキ材８ｎに固定するためのねじをそのねじ持ち材１７Ｌにねじ込むことにより又はデッキ材８ｎの底面から別のねじをねじ込むことにより、固定されている。
そして、デッキの正面に前記樹脂製形材で作られた前鼻隠し９ｆが垂直状態で当接され、その外側面からねじ２０を貫通し、長尺ねじ持ち材１７Ｌにねじ込むことにより、前鼻隠し９ｆがデッキ材８ｎに固定されている。
【００２３】
図８及び図１２に示すように、側鼻隠し９ｓの先端部及び前鼻隠し９ｆの長手方向両端部は４５度に切断されており、前鼻隠し９ｆの両端部の切断部において前鼻隠し９ｆの上端部の中空部を除くほかの少なくとも一つの中空部、好ましくは接続安定性を高めるため上下方向に隔てられた中空部、例えば、上から二番目及び下端部の中空部の中に前記短尺角棒状のねじ持ち材１７と同様のねじ持ち材１７´が、その一部を切断面から外に突出させた状態で挿入され、それぞれの中空部の前鼻隠し９ｆの背面側からねじ２１をねじ込んで、そのねじ持ち材１７´を前鼻隠し９ｆの所定位置に固定してある。そして、各ねじ持ち材１７´の突出された部分を側鼻隠し９ｓのそれぞれ対応する中空部に嵌合し、その側鼻隠しの外面からねじ２２をねじ込んでそのねじ持ち材１７´を側鼻隠し９ｓに固定するとともに、前鼻隠し９ｆと側鼻隠し９ｓを直角に接続している。
【００２４】
上記の実施例のようにデッキ材及び鼻隠しを同一断面形状の樹脂製形材製とした場合は、生産性が向上し、かつ、デッキ材に対する前鼻隠し及び側鼻隠しの接続に同一断形状のねじ持ち材を用いて同様の要領で行うことができる。
【００２５】
【発明の効果】
上述のように、本発明によれば、デッキ材の側面に予め固定金具を取付けて置き、デッキ材を根太の上に順次並べて固定金具を根太に固着するだけで、デッキ材同士の間に所定の間隔が確保されるので、デッキ材の位置決め作業が不要である。従って、デッキ材の敷設施工を能率的に行うことができる。さらに、デッキ材は固定金具により根太に固定されるので、従来と異なり、デッキ材の上面に固定用ビスなどの固着具が露出しないためデッキの体裁が向上し、かつ、デッキ上面を歩く際に固着具により怪我をしたり衣類などが引っ掛かることがない。
【図面の簡単な説明】
【図１】本発明の構成の要部及びを作用を説明する斜視図。
【図２】同様の平面図。
【図３】固定金具の一例の斜視図。
【図４】固定金具の取付け状態及び作用の一部を説明する側面図。
【図５】固定金具の他例の斜視図。
【図６】固定金具の取付け状態及び作用の一部を説明する側面図。
【図７】ガーデンデッキの正面図。
【図８】ガーデンデッキの平面図。
【図９】ガーデンデッキの側面図。
【図１０】図８のＸ−Ｘ線に沿った断面図。
【図１１】図１０の根太近辺の透視平面図。
【図１２】図７のＹ−Ｙ線に沿った断面図。
【図１３】図８のＺ−Ｚに沿った断面図。
【符号の説明】
６                      根太
８１  ，８２  ．〜８ｎ       デッキ材
９ｆ                    前鼻隠し
９ｓ                    側鼻隠し
ＦＭ１  ，ＦＭ２  ，ＦＭ３   固定金具
１０                    水平片
１１                    垂直片
１５                    排水溝
【図１】
0003631092.tif 000002
【図２】
0003631092.tif 000003
【図３】
0003631092.tif 000004
【図４】
0003631092.tif 000005
【図５】
0003631092.tif 000006
【図６】
0003631092.tif 000007
【図７】
0003631092.tif 000008
【図８】
0003631092.tif 000009
【図９】
0003631092.tif 000010
【図１０】
0003631092.tif 000011
【図１１】
0003631092.tif 000012
【図１２】
0003631092.tif 000013
【図１３】
0003631092.tif 000014